(57)【要約】【課題】前後に背面合わせにデスクを配置し、その中間に配線ダクトを設けるとともに、机上パネルで前後を区画した構造のデスクシステムにおいて、天板上にパソコンの本体部やＣＲＴ等のモニターを載置して使用する場合、その電源コードやモニターケーブルあるいはプリンターケーブル等の腰が強く太いケーブルでも簡単且つ綺麗に収容することができ、しかも天板上を広く使用することができる組立式デスクシステムを提供する。【解決手段】少なくとも２台のデスクＡ，Ｂを背面合わせで、両天板１，１の後端間に所定幅の開口４を設けて配置し、開口の前後中間位置に、開口を塞がないように机上パネル５を立設してなる。【選択図】　　　　図１
2004121695.tif 000002
【特許請求の範囲】
【請求項１】
少なくとも２台のデスクを背面合わせで、両天板の後端間に所定幅の開口を設けて配置し、前記開口の前後中間位置に、該開口を塞がないように机上パネルを立設してなることを特徴とする組立式デスクシステム。
【請求項２】
前記机上パネルの下端を天板の上面より上方に設定してなる請求項１記載の組立式デスクシステム。
【請求項３】
前記開口の下方で、平面視において開口の一部に配線ダクトを設けてなる請求項１又は２記載の組立式デスクシステム。
【請求項４】
側端部に位置する両デスクの脚柱間であって、前記開口の下方空間を幕板で閉塞してなる請求項１〜３何れかに記載の組立式デスクシステム。
【発明の詳細な説明】
【０００１】
【発明の属する技術分野】
本発明は、組立式デスクシステムに係わり、更に詳しくは配線作業を容易になした組立式デスクシステムに関するものである。
【０００２】
【従来の技術】
従来から、前後に背面合わせにデスクを配置し、その中間に配線ダクトを設けたデスクシステムは公知である。また、天板の後縁に沿って机上パネルを立設した構造のデスクも公知である。
【０００３】
例えば、特許文献１には、机における天板の一端縁に沿って、上面を開口した配線ダクトを着脱自在に取付けるとともに、該配線ダクトにおける開口部の上方に、当該配線ダクトに沿って延びる側パネルを配設し、前記配線ダクトの開口部の上部に、前記側パネルの下端が嵌る断面上向きコ字状のパネル支持体を、当該パネル支持体と前記天板の一端縁との間に配線ダクト内へのコード出し入れ口が開口するように設けた構造が記載されている。また、前記配線ダクトを隣接する天板間に配置して、前記側パネルで区画するようになした点も記載されている。
【０００４】
しかし、前述の特許文献１のように配線ダクトを設けると、パソコンの電源コードや、モニターケーブルあるいはプリンターケーブル等の腰が強く太いケーブルを収容することは困難である。つまり、そのようなケーブルは、曲げて配線ダクト内に収容する場合には、非常に嵩張り、ダクトからはみ出すことになり、引き回しが非常に困難である。また、天板上にパソコンの本体部やＣＲＴ等のモニターを載置する場合、パネルが邪魔になって天板上を広く使用できないといった問題もある。
【０００５】
【特許文献１】実公平３−１２２７０号公報
【０００６】
【発明が解決しようとする課題】
本発明が前述の状況に鑑み、解決しようとするところは、前後に背面合わせにデスクを配置し、その中間に配線ダクトを設けるとともに、机上パネルで前後を区画した構造のデスクシステムにおいて、天板上にパソコンの本体部やＣＲＴ等のモニターを載置して使用する場合、その電源コードやモニターケーブルあるいはプリンターケーブル等の腰が強く太いケーブルでも簡単且つ綺麗に収容することができ、しかも天板上を広く使用することができる組立式デスクシステムを提供する点にある。
【０００７】
【課題を解決するための手段】
本発明は、前述の課題解決のために、少なくとも２台のデスクを背面合わせで、両天板の後端間に所定幅の開口を設けて配置し、前記開口の前後中間位置に、該開口を塞がないように机上パネルを立設してなる組立式デスクシステムを構成した。
【０００８】
ここで、前記机上パネルの下端を天板の上面より上方に設定してなることが好ましい。
【０００９】
また、前記開口の下方で、平面視において開口の一部に配線ダクトを設けてなることも好ましい。
【００１０】
また、側端部に位置する両デスクの脚柱間であって、前記開口の下方空間を幕板で閉塞してなることも好ましい。
【００１１】
【発明の実施の形態】
次に本発明の実施の形態を添付図面に基づき更に詳細に説明する。図１は背面合わせに設置したデスクを更に側方へ連設した本発明に係るデスクシステムの例を示し、図２及び図３はその使用例を示し、図４及び図５は天板と脚柱の連結構造を示し、図中符号１は天板、２は脚柱、３は連結板、４は開口、５は机上パネルをそれぞれ示している。
【００１２】
本発明に係る組立式デスクシステムは、前記天板１の下面に、前記脚柱２を連結板３を介して垂下連結して構成した少なくとも２台のデスクを背面合わせで設置する際に、両天板１，１の後端間に所定幅の開口４を設けて配置し、前記開口４の前後中間位置に、該開口４を塞がないように机上パネルを５立設したものである。
【００１３】
ここで、図３に示すように、前記机上パネル５の下端を天板１の上面より上方に設定し、前後に開放したコード挿通空間６を設けている。この場合、前後に位置するデスクＡ，Ｂの天板１，１に渡って配線する場合に、ケーブルＣを屈曲させなくても良いので、簡単に配線することができる。また、前記開口４の下方で、平面視において開口４の一部に配線ダクト７を設けている。
【００１４】
前記天板１の上面には、図２及び図３に示すように、パソコンのＣＲＴ等のように奥行寸法が大きな電子電気機器Ｅを、その後端を前記机上パネル５に近接するまで後退した位置に設置し、その天板１の前部を広く使用できるようにしている。そのように配置した電子電気機器ＥからのケーブルＣは、図３に示すように、前記開口４を通して天板１の下方へ垂れ下がり、この垂れ下がり部分で余剰分を十分に吸収したの後、前記配線ダクト７にケーブルＣの中間部を載せて支持している。従って、前記ケーブルＣが複数本存在して、前記配線ダクト７に同時に収容しなくてはならない場合でも、該ケーブルＣが配線ダクト７から上方へはみ出すことがないのである。
【００１５】
また、前述のように、前記開口４から下方へケーブルＣを垂らしても、それを側方から直視できないように、側端に位置する前後のデスクの後部脚柱２，２間に幕板８を装着して余剰ケーブルＣを隠蔽している。また、各デスクの側端に位置する前後の脚柱２，２間にもサイドカバー９を着脱可能に取付けている。
【００１６】
次に、本実施形態の組立式デスクシステムの各部について説明する。図４及び図５は、前記天板１に脚柱２を連結板３を介して連結する構造を示している。つまり、前記天板１の下面の前後部寄りにそれぞれ前側レール１０と後側レール１１を並設し、前記連結板３の下面に着脱可能且つ位置変更可能に前記脚柱２を垂下連結するとともに、該連結板２を前記天板の横方向適所で前記前側レール１０と後側レール１１の一方又は双方に前記締着具１４を用いて着脱可能に取付けて構成した。
【００１７】
前記前側レール１０及び後側レール１１は、それぞれ二条のレール部材１２，１２を並設するとともに、前記天板１の下面に前後対称に設けている。つまり、前記天板１を前後反転させても全く同じ位置に前側レール１０と後側レール１１とが位置する。本実施形態では、前記各レール部材１２は、断面略Ｃ字形のチャンネル部材であり、前記天板１の下面に形成された溝部１３内に下方からネジ止めされて埋設されている。前記締着具１４は、螺孔１５を設けた係止片１４Ａ又は４Ｂと該螺孔１５に螺合するネジ１４Ｃとから構成されている。ここで、前記係止片１４Ａは、前記連結板３の横幅と略等しい長尺板材で両端に螺孔１５，１５が形成されたものであり、その長手方向を前記レール部材１２の溝内に沿って挿入して係止可能となしている。また、前記係止片１４Ｂは、中心に一つの螺孔１５が形成された短尺板材であり、前記レール部材１２の溝内に挿入した後、回転させてレール部材１２の両開口縁部に係止し得るものである。そして、図５に示すように、前記レール部材１２の溝内に係止させた前記係止片１４Ａ又は１４Ｂの螺孔１５に、前記連結板３の取付孔１６に挿通したネジ１４Ｃを螺合して締着するのである。
【００１８】
前記連結板３は、前記前側レール１０と後側レール１１を構成する二条のレール部材１２，１２を同時に覆い得る横幅を有するとともに、前側レール１０の前方レール部材１２と後側レール１１の後方レール部材１２を同時に覆い得る長さを有し、両端部には合計４本のレール部材１２，…にそれぞれ２箇所ずつ対応する位置に前記取付孔１６，…を形成している。尚、前記連結板３の一端部における４つの取付孔１６，…は、正方形の角の位置にあり、前記連結板３を前側レール１０と後側レール１１に跨って配して連結したり、また前側レール１０と後側レール１１の一方に沿った方向に連結板３を向けて連結することができるようにしている。
【００１９】
また、前記脚柱２を連結板３に連結する構造は、前記連結板３に形成した座グリ孔１７，…に上方から挿通したネジ１８，…を、脚柱２の端部に形成した螺孔１９，…に螺後して着脱可能に連結する。前記脚柱２は、本実施形態ではアルミニウムの押出し成形品であり、内部構造部に四つの下穴部を形成し、該下穴部にタッピングにて螺孔１９を形成するか、若しくは下穴部のまま前記ネジ１８をタッピンネジとしてねじ込むのである。
【００２０】
また、図４に示すように、前記配線ダクト７も前記締着具１４を用いて、前記連結板３を取付けてない位置で前記レール部材１２を利用して連結することができる。この場合には、前記係止片１４Ｂを用いることが、作業上好ましい。
【００２１】
ここで、前記脚柱２を取付ける位置及び本数は、天板１の支持強度を考慮して適宜決定するが、独立タイプのデスクを複数設置した場合と比較して脚柱２の本数を減らすことができる。また、前記脚柱２を取付けたい位置と、隣接する天板１，１同士の連結に供する連結板３の位置とが、異なる場合には、連結に供しない連結板３を前記前側レール１０と後側レール１１を利用して取付け、この連結板３に脚柱２を垂下連結しても良い。
【００２２】
また、前後に所定間隔を設けて背面合わせで配したデスクを互に連結する構造を簡単に説明する。即ち、図２に示すように、前後に配した両デスクＡ，Ｂの脚柱２，２間に幕板８を介在させるとともに、該幕板８の上下部においてそれぞれ両脚柱２，２に両端を係着した一対の引付手段２０，２０にて引き付け連結してなるものである。前記引付手段２０は、両端部に各脚柱２に係着する係着具２１と、両係着具２１，２１間に連結したターンバックル２２とからなる。
【００２３】
次に、図６及び図７に基づいて前記机上パネル５を開口４の前後中央部に立設するための構造を説明する。先ず、前記机上パネル５を支持する支持体２３の本体部２４を前記開口４内に嵌合するとともに、該本体部２４の両側に延びた固定板２５，２５を各天板１，１の下面に接合し、該固定板２５に設けた通孔２６に下方から挿通したネジ２７にて該下面に締着する。そして、前記本体部２４の中央部に前記机上パネル５の支柱２８を支持する構造は適宜な固定構造を採用できるが、本実施形態では本体部２４が上下２枚の板材２４Ａと２４Ｂから構成されており、上方の板材２４Ａに形成した支持孔２９に前記支柱２８を嵌挿するとともに、該支柱２８の下端の取付片３０に下方の板材２４Ｂを下方から貫通させた固体ネジ３１を螺合して固定する。
【００２４】
また、図７及び図８に示したものは、前記支持体２３を天板１の下面に直接ネジ止めするのではなく、各デスクの最後方に位置するレール部材１２と前記定着具１４を用いて取付ける。それは、前記支持体２３の固定板２５，２５を長くし、前記通孔２６の位置が最後方に位置するレール部材１２に対応するように設定し、該レール部材１２の溝内に係止した係止片１４Ｂの螺孔１５に、前記固定板２５の通孔２６に下方から挿通したネジ１４Ｃを螺合することで取付けるのである。尚、この場合には、前記連結板３を取付けた位置とは異なる位置のレール部材１２に前記支持体２３を取付ける必要がある。
【００２５】
【発明の効果】
以上にしてなる請求項１に係る発明の組立式デスクシステムは、少なくとも２台のデスクを背面合わせで、両天板の後端間に所定幅の開口を設けて配置し、前記開口の前後中間位置に、該開口を塞がないように机上パネルを立設してなるので、前後に背面合わせにデスクを配置し、その中間に配線ダクトを設けるとともに、机上パネルで前後を区画した構造のデスクシステムにおいて、天板上にパソコンの本体部やＣＲＴ等のモニターを載置して使用する場合、その電源コードやモニターケーブルあるいはプリンターケーブル等の腰が強く太いケーブルでも簡単且つ綺麗に収容することができ、しかも天板上を広く使用することができる。
【００２６】
請求項２によれば、前後に位置するデスクの天板に渡って配線する場合に、ケーブルを屈曲させなくても良いので、簡単に配線することができる。
【００２７】
請求項３によれば、天板上に配置した電子電気機器からのケーブルを、配線ダクトのない部分の開口を通して落とし込むと、天板の下方へ垂れ下がり、この垂れ下がり部分で余剰分を十分に吸収したの後、前記配線ダクト７にケーブルの中間部を載せて支持することができ、従って、ケーブルが複数本存在して、前記配線ダクトに同時に収容しなくてはならない場合でも、該ケーブルが配線ダクトから上方へはみ出すことがないのである。また、配線作業も極めて簡単である。
【００２８】
請求項４によれば、開口から下方へケーブルを垂らしても、側端に位置する前後のデスクの脚柱間に幕板を装着したので、余剰ケーブルを隠蔽することができ、外観性を向上させることができる。
【図面の簡単な説明】
【図１】本発明に係るデスクシステムの全体斜視図である。
【図２】同じく要部の部分側面図である。
【図３】同じく部分正面図である。
【図４】天板と脚部との連結構造と、配線ダクトの取付構造を示す部分分解斜視図である。
【図５】同じく組立状態の部分縦断側面図である。
【図６】机上パネルの取付構造を示す分解斜視図である。
【図７】同じく組立状態の部分縦断側面図である。
【図８】机上パネルの他の取付構造を示す分解斜視図である。
【図９】同じく組立状態の部分縦断側面図である。
【符号の説明】
Ａ，Ｂ　デスク　　　　Ｃ　ケーブル
Ｅ　電子電気機器
１　天板　　　　　　　　２　脚柱
３　連結板　　　　　　　４　開口
５　机上パネル　　　　　６　コード挿通空間
７　配線ダクト　　　　　８　幕板
９　サイドカバー　　　　１０　前側レール
１１　後側レール　　　　１２　レール部材
１３　溝部　　　　　　　１４　定着具
１４Ａ，１４Ｂ　係止片　１４Ｃ　ネジ
１５　螺孔　　　　　　　１６　取付孔
１７　座グリ孔　　　　　１８　ネジ
１９　螺孔　　　　　　　２０　引付手段
２１　係着具　　　　　　２２　ターンバックル
２３　支持体　　　　　　２４　本体部
２５　固定板　　　　　　２６　通孔
２７　ネジ　　　　　　　２８　支柱
２９　支持孔　　　　　　３０　取付片
３１　固体ネジ
【図１】
2004121695.tif 000003
【図２】
2004121695.tif 000004
【図３】
2004121695.tif 000005
【図４】
2004121695.tif 000006
【図５】
2004121695.tif 000007
【図６】
2004121695.tif 000008
【図７】
2004121695.tif 000009
【図８】
2004121695.tif 000010
【図９】
2004121695.tif 000011